(57)【特許請求の範囲】
【請求項１】
シートが搬送される搬送路が形成され、第１底部を有する第１筐体と、
上記第１筐体に設けられており、上記第１底部に支持された第１トレイと、
上記第１筐体における上記第１トレイの上方に設けられており、上記第１トレイに支持されたシートを上記搬送路へ向けて給送方向へ給送可能な第１給送部と、
上記第１筐体に対して着脱可能であり、上記第１筐体に装着された状態において上記第１底部の下方に位置する第２筐体と、
上記第２筐体に設けられた第２トレイと、
上記第２筐体における上記第２トレイの上方に設けられており、上記第２トレイに支持されたシートを上記搬送路へ向けて上記給送方向へ給送可能な第２給送部と、を備え、
上記第１給送部は、上記第１トレイの上方から上記第１トレイへ向けて延出されており、延出基端部を中心に回動可能な第１アームと、当該第１アームの延出先端部に回転可能に設けられた第１ローラと、を備え、当該第１ローラが上記第１トレイに支持されたシートに当接して当該シートを上記搬送路へ給送可能な第１位置、及び当該第１ローラが当該第１位置よりも上方に位置する第２位置に回動するものであり、
上記第２給送部は、上記第２トレイの上方から上記第２トレイへ向けて延出されており、延出基端部を中心に回動可能な第２アームと、当該第２アームの延出先端部に回転可能に設けられた第２ローラと、を備え、当該第２ローラが上記第２トレイに支持されたシートに当接して当該シートを上記搬送路へ給送可能な第３位置、及び当該第２ローラが当該第３位置よりも上方に位置する第４位置に回動するものであり、
上記第１筐体は、上記第１底部から下方へ突出した第１突出部を備え、
上記第１給送部が上記第１位置に位置するときの上記第１ローラの下端の上記給送方向の位置は、上記第１突出部の上記給送方向の上流端と下流端との間であり、
上記第２筐体が上記第１筐体に装着された状態において、上記第１突出部は、上記第２筐体内に位置しており、
上記第２筐体が上記第１筐体に装着され且つ上記第２給送部が上記第４位置に位置する状態において、上記第２給送部は、側面視において上記第１突出部と少なくとも一部が重複している搬送装置。
【請求項２】
上記第２筐体が上記第１筐体に装着され且つ上記第２給送部が上記第４位置に位置する状態において、上記第２ローラが、側面視において上記第１突出部と重複している請求項１に記載の搬送装置。
【請求項３】
上記第１突出部は、上記第１ローラよりも上記給送方向と直交する第１方向の位置と、上記第１ローラよりも上記第１方向と逆方向の第２方向の位置とに設けられている請求項１または２に記載の搬送装置。
【請求項４】
上記第１突出部は、上記給送方向の上流から下流へ向けて下方へ向かう傾斜面を備える請求項１から３のいずれかに記載の搬送装置。
【請求項５】
上記第２トレイは、シートを積層した状態で支持するものであり、
上記第２筐体が上記第１筐体に装着された状態において、上記第１突出部の下端は、上記第２トレイに支持可能な最大積載枚数のシートが支持された状態における最上のシートよりも上方に位置する請求項１から４のいずれかに記載の搬送装置。
【請求項６】
上記第２筐体が上記第１筐体に装着された状態において、上記第２アームの上記延出基端部の上端は、上記第１突出部の下端よりも上方に位置する請求項１から５のいずれかに記載の搬送装置。
【請求項７】
上記第１筐体は、上記第１底部から下方へ突出した第２突出部を更に備え、
上記第２筐体が上記第１筐体に装着された状態において、上記第２アームの回動軸は上記第１突出部よりも上記給送方向の上流に位置し、上記第２突出部は、上記第２アームの回動軸よりも上記給送方向の上流に位置する請求項１から６のいずれかに記載の搬送装置。
【請求項８】
上記第２筐体が上記第１筐体に装着されない状態で当該搬送装置が被設置面に設置された場合に、上記第１突出部は当該被設置面に当接する請求項１から７のいずれかに記載の搬送装置。
【請求項９】
上記第１底部は、
上記第２筐体が上記第１筐体に装着された状態で上記第２アームの回動軸が位置する空間を区画する天面となる第１面と、
上記第１突出部が設けられる第２面と、を備え、
上記第２面は、上記第１面よりも下方に位置する請求項８に記載の搬送装置。
【請求項１０】
上記第１底部の下方に設けられた金属製のフレームを更に備え、
上記第１給送部が上記第１位置に位置するときの上記第１ローラの下端の上記給送方向の位置は、上記フレームの上記給送方向の上流端と下流端との間であり、
上記フレームは、上記第１突出部が上方から下方へ貫通される貫通部を備える請求項１から９のいずれかに記載の搬送装置。
【請求項１１】
上記フレームは、上方へ屈曲する屈曲部を備える請求項１０に記載の搬送装置。
【請求項１２】
上記第２筐体は、
上記第２トレイを支持する第２底部と、
上記第２底部から下方へ突出した第３突出部と、を備え、
上記第２給送部が上記第３位置に位置するときの上記第２ローラの下端の上記給送方向の位置は、上記第３突出部の上記給送方向の上流端と下流端との間である請求項１から１１のいずれかに記載の搬送装置。
【請求項１３】
請求項１から１２のいずれかに記載の搬送装置と、
上記搬送路を搬送されるシートに画像を記録する記録部と、備える画像記録装置。
【発明の詳細な説明】
【技術分野】
【０００１】
本発明は、搬送路に沿ってシートを搬送する搬送装置、及び当該搬送装置を備えておりシートに画像を記録する画像記録装置に関する。
【背景技術】
【０００２】
内部に形成された搬送路に沿ってシートが搬送される搬送装置が知られている。このような搬送装置を備えた装置として、プリンタや複合機などの画像記録装置がある。画像記録装置には、シートが支持される第１トレイを備え、装置本体である第１筐体に対して、シートが支持される第２トレイを備えた第２筐体を着脱可能なものがある（特許文献１）。特許文献１に開示された画像記録装置は、第２筐体を第１筐体に装着することによって、２つのトレイ（第１トレイ及び第２トレイ）を備えることができる。これにより、トレイを１つのみ備えた画像記録装置よりも、画像記録装置に大容量のシートを収容することができる。
【先行技術文献】
【特許文献】
【０００３】
【特許文献１】特開２０１３−４３７７６号公報
【発明の概要】
【発明が解決しようとする課題】
【０００４】
特許文献１に開示された画像記録装置では、ローラが、第１トレイに支持されたシートに上方から当接した状態で回転する。これにより、当該シートは搬送される。よって、第１筐体におけるローラの下方に位置する部分は、ローラの押圧力に抗するために他の部分よりも大きな厚みを必要とする。また、特許文献１に開示された画像記録装置では、第２筐体は第１筐体の下方に装着される。
【０００５】
以上より、画像記録装置は、高さ方向に長くなり、大型化してしまう。また、画像記録装置が高さ方向に長くなると、第２トレイから第１筐体へのシートの搬送路が長くなる。すると、シートを第１筐体へ送るまでに時間がかかってしまう。また、シートを第１筐体へ迅速に送るためにローラの回転速度を上げると、ローラから発せられる音が大きくなってしまう。
【０００６】
本発明は、上記課題に鑑みてなされたものであり、その目的は、装置の大型化を抑制し、且つシートの給送を短時間で実行できる搬送装置を提供することにある。
【課題を解決するための手段】
【０００７】
(1)  シートが搬送される搬送路が形成され、第１底部を有する第１筐体と、上記第１筐体に設けられており、上記第１底部に支持された第１トレイと、上記第１筐体における上記第１トレイの上方に設けられており、上記第１トレイに支持されたシートを上記搬送路へ向けて給送方向へ給送可能な第１給送部と、上記第１筐体に対して着脱可能であり、上記第１筐体に装着された状態において上記第１底部の下方に位置する第２筐体と、上記第２筐体に設けられた第２トレイと、上記第２筐体における上記第２トレイの上方に設けられており、上記第２トレイに支持されたシートを上記搬送路へ向けて上記給送方向へ給送可能な第２給送部と、を備える。上記第１給送部は、上記第１トレイの上方から上記第１トレイへ向けて延出されており、延出基端部を中心に回動可能な第１アームと、当該第１アームの延出先端部に回転可能に設けられた第１ローラと、を備え、当該第１ローラが上記第１トレイに支持されたシートに当接して当該シートを上記搬送路へ給送可能な第１位置、及び当該第１ローラが当該第１位置よりも上方に位置する第２位置に回動するものである。上記第２給送部は、上記第２トレイの上方から上記第２トレイへ向けて延出されており、延出基端部を中心に回動可能な第２アームと、当該第２アームの延出先端部に回転可能に設けられた第２ローラと、を備え、当該第２ローラが上記第２トレイに支持されたシートに当接して当該シートを上記搬送路へ給送可能な第３位置、及び当該第２ローラが当該第３位置よりも上方に位置する第４位置に回動するものである。上記第１筐体は、上記第１底部から下方へ突出した第１突出部を備える。上記第１給送部が上記第１位置に位置するときの上記第１ローラの下端の上記給送方向の位置は、上記第１突出部の上記給送方向の上流端と下流端との間である。上記第２筐体が上記第１筐体に装着された状態において、上記第１突出部は、上記第２筐体内に位置している。上記第２筐体が上記第１筐体に装着され且つ上記第２給送部が上記第４位置に位置する状態において、上記第２給送部は、側面視において上記第１突出部と少なくとも一部が重複している。
【０００８】
本構成によれば、第２筐体が第１筐体に装着され且つ第２給送部が第４位置に位置する状態において、第２給送部は、側面視において第１突出部と少なくとも一部が重複している。この重複した分だけ、搬送装置の高さを低く抑えることができる。これにより、搬送装置の大型化を抑制することができる。その結果、第２トレイから搬送路へのシートの給送を短時間で実行することができる。
【０００９】
また、本構成によれば、第１底部は、第１突出部が設けられている部分において厚みが増すため、当該部分において強度が増加する。そして、本構成によれば、第１給送部が第１位置に位置するときの第１ローラの下端の給送方向の位置は、第１突出部の給送方向の上流端と下流端との間である。これにより、第１ローラの押圧力によって第１底部が反る可能性を低くすることができる。その結果、第１トレイに支持されたシートを安定して給送することができる。
【００１０】
(2)  上記第２筐体が上記第１筐体に装着され且つ上記第２給送部が上記第４位置に位置する状態において、上記第２ローラが、側面視において上記第１突出部と重複していてもよい。
【００１１】
(3)  上記第１突出部は、上記第１ローラよりも上記給送方向と直交する第１方向の位置と、上記第１ローラよりも上記第１方向と逆方向の第２方向の位置とに設けられている。
【００１２】
本構成によれば、第１方向及び第２方向において、第１ローラは、第１突出部に挟まれた状態である。そのため、第１ローラの押圧力によって第１底部が第１方向及び第２方向に沿って反る可能性を低くすることができる。
【００１３】
(4)  上記第１突出部は、上記給送方向の上流から下流へ向けて下方へ向かう傾斜面を備える。
【００１４】
本構成によれば、第２トレイに支持されたシートが第２給送部によって給送されるときに、当該シートが第１突出部に当接した場合、当該シートは傾斜面に沿って案内される。そのため、当該シートが第１突出部に引っ掛かる可能性を低くすることができる。
【００１５】
(5)  上記第２トレイは、シートを積層した状態で支持するものである。上記第２筐体が上記第１筐体に装着された状態において、上記第１突出部の下端は、上記第２トレイに支持可能な最大積載枚数のシートが支持された状態における最上のシートよりも上方に位置する。
【００１６】
本構成によれば、第２筐体が第１筐体に装着されたときに、第２トレイに支持されたシートが第１突出部に当接することを防止することができる。
【００１７】
(6)  上記第２筐体が上記第１筐体に装着された状態において、上記第２アームの上記延出基端部の上端は、上記第１突出部の下端よりも上方に位置する。
【００１８】
本構成によれば、上方向及び下方向において、第２アームと第１突出部とは重複している。この重複した分だけ、搬送装置の高さを低く抑えることができる。
【００１９】
(7)  例えば、上記第１筐体は、上記第１底部から下方へ突出した第２突出部を更に備え、上記第２筐体が上記第１筐体に装着された状態において、上記第２アームの回動軸は上記第１突出部よりも上記給送方向の上流に位置し、上記第２突出部は、上記第２アームの回動軸よりも上記給送方向の上流に位置していてもよい。
【００２０】
(8)  例えば、上記第２筐体が上記第１筐体に装着されない状態で当該搬送装置が被設置面に設置された場合に、上記第１突出部は当該被設置面に当接していてもよい。
【００２１】
(9)  上記第１底部は、上記第２筐体が上記第１筐体に装着された状態で上記第２アームの回動軸が位置する空間を区画する天面となる第１面と、上記第１突出部が設けられる第２面と、を備える。上記第２面は、上記第１面よりも下方に位置する。
【００２２】
本構成によれば、第１底部において、第２面が設けられている部分の厚みは、第１面が設けられている部分の厚みよりも厚くなる。これにより、第１底部における第２面が設けられている部分の強度を増加させることができる。その結果、第１ローラの押圧力によって第１底部が反る可能性を低くすることができる。
【００２３】
(10)  本発明に係る搬送装置は、上記第１底部の下方に設けられた金属製のフレームを更に備える。上記第１給送部が上記第１位置に位置するときの上記第１ローラの下端の上記給送方向の位置は、上記フレームの上記給送方向の上流端と下流端との間である。上記フレームは、上記第１突出部が上方から下方へ貫通される貫通部を備える。
【００２４】
本構成によれば、第１底部における下方に金属製のフレームが設けられている部分の強度を増加させることができる。その結果、第１ローラの押圧力によって第１底部が反る可能性を低くすることができる。
【００２５】
(11)  上記フレームは、上方へ屈曲する屈曲部を備える。
【００２６】
本構成によれば、フレームが屈曲部を有しているため、フレームによって第１底部の強度を更に増加させることができる。
【００２７】
(12)  上記第２筐体は、上記第２トレイを支持する第２底部と、上記第２底部から下方へ突出した第３突出部と、を備える。上記第２給送部が上記第３位置に位置するときの上記第２ローラの下端の上記給送方向の位置は、上記第３突出部の上記給送方向の上流端と下流端との間である。
【００２８】
本構成によれば、第２筐体と同様の構成の筐体が第２筐体に着脱可能に、搬送装置が構成されている場合であっても、上述した効果と同様の効果を奏することができる。
【００２９】
(13)  本発明は、上記搬送装置と、上記搬送路を搬送されるシートに画像を記録する記録部と、備える画像記録装置として捉えることもできる。
【発明の効果】
【００３０】
本発明によれば、装置の大型化を抑制し、且つシートの給送を短時間で実行できる。
【図面の簡単な説明】
【００３１】
【図１】図１は、複合機１０の斜視図である。
【図２】図２は、複合機１０の内部を模式的に示した縦断面図である。
【図３】図３は、第２筐体９２の斜視図である。
【図４】図４は、第１筐体９１及び第２筐体９２の縦断面図であり、第２給送部２９が第３位置の状態を示す。
【図５】図５は、第１筐体９１及び第２筐体９２の縦断面図であり、第１給送部２８が第２位置且つ第２給送部２９が第４位置の状態を示す。
【図６】図６は、下方から視た第１筐体９１を模式的に示した斜視図である。
【図７】図７は、第２筐体９２が装着されていない複合機１０が机１１０の上面１１１に設置された状態を模式的に示す正面図である。
【発明を実施するための形態】
【００３２】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上方向４及び下方向５が定義され、開口１３が設けられている面を前面１１として前方向６及び後方向７が定義され、複合機１０を後方向７に視て右方向８及び左方向９が定義される。上方向４及び下方向５は互いに反対方向である。前方向６及び後方向７は互いに反対方向である。右方向８及び左方向９は互いに反対方向である。上方向４、前方向６、及び右方向８は互いに直交している。
【００３３】
［複合機１０の全体構造］
図１に示されるように、複合機１０（画像記録装置の一例）は、概ね直方体に形成されている。複合機１０は、ファクシミリ機能及びプリント機能などの各種の機能を有している。プリント機能は、用紙１２（シートの一例、図２参照）に画像を記録する機能である。本実施形態では、複合機１０は、用紙１２の片面にのみ画像を記録する機能を有しているが、複合機１０は、用紙１２の片面及び両面に画像を記録する機能を有していてもよい。
【００３４】
図２に示されるように、複合機１０は、搬送装置と、記録部２４と、プラテン４２とを備えている。搬送装置は、第１筐体９１（図４参照）、第２筐体９２（図４参照）、フレーム９５、９８（図４参照）、搬送ローラ対５７、排出ローラ対５８、第１給送トレイ２０（第１トレイの一例）、第２給送トレイ２２（第２トレイの一例）、排出トレイ２１、第１給送部２８、第２給送部２９、第１案内部材７１、及び第２案内部材７２を備えている。
【００３５】
［第１筐体９１］
図１に示されるように、第１筐体９１は、複合機１０の外観のうちの上部を構成するものであり、概ね直方体形状である。
【００３６】
図２に示される搬送ローラ対５７、排出ローラ対５８、第１給送部２８、及び第１案内部材７１は、第１筐体９１の内部に配置されている。第１筐体９１の内部には、用紙１２が搬送される第１搬送路６５（搬送路の一例）及び第２搬送路６６（搬送路の一例）が形成されている。第１筐体９１の前面１１に開口１３が形成されている。第１給送トレイ２０が、開口１３を通じて、第１筐体９１に対して挿入されて装着可能であり、第１筐体９１に対して脱抜可能である。
【００３７】
図４に示されるように、第１筐体９１は、底部９３（第１底部の一例）を備えている。底部９３は、前方向６及び後方向７並びに右方向８及び左方向９に拡がった板状に構成されている。底部９３は、第１筐体９１に装着された第１給送トレイ２０を下方から支持する。
【００３８】
［第２筐体９２］
図１及び図３に示されるように、第２筐体９２は、複合機１０の外観のうちの下部を構成するものであり、概ね直方体形状である。
【００３９】
第２筐体９２は、第１筐体９１に対して着脱可能である。当該着脱は、嵌合などの公知の手段によって行われる。図１に示されるように、第１筐体９１に装着された第２筐体９２は、第１筐体９１の下方に位置する。
【００４０】
第２筐体９２の前面１９に開口１４が形成されている。第２給送トレイ２２が、開口１４を通じて、第２筐体９２に対して挿入されて装着可能であり、第２筐体９２に対して脱抜可能である。第２給送トレイ２２が装着された状態において、第２筐体９２の上方は開放されている。
【００４１】
図４に示されるように、第２筐体９２は、底部９４（第２底部の一例）を備えている。底部９４は、前方向６及び後方向７並びに右方向８及び左方向９に拡がった板状に構成されている。底部９４は、第２筐体９２に装着された第２給送トレイ２２を下方から支持する。
【００４２】
［第１給送トレイ２０、第２給送トレイ２２、及び排出トレイ２１］
図１に示されるように、第１給送トレイ２０は、第１筐体９１に設けられている。第１給送トレイ２０は、第１筐体９１に対して開口１３を通じて後方向７へ挿入されることで第１筐体９１に装着され、第１筐体９１に対して開口１３を通じて前方向６へ脱抜される。
【００４３】
図１及び図３に示されるように、第２給送トレイ２２は、第２筐体９２に設けられている。第２給送トレイ２２は、第２筐体９２に対して開口１４を通じて後方向７へ挿入されることで第２筐体９２に装着され、第２筐体９２に対して開口１４を通じて前方向６へ脱抜される。
【００４４】
図２に示されるように、第１給送トレイ２０は、第１筐体９１に装着された状態において、記録部２４の下方に配置されている。図１及び図２に示されるように、第２給送トレイ２２は、第２筐体９２に装着された状態において、第１筐体９１に装着された第１給送トレイ２０の下方に配置されている。第１給送トレイ２０が第１筐体９１に装着された状態において、第１給送トレイ２０に支持された用紙１２が第２搬送路６６へ給送可能となる。第２給送トレイ２２が第２筐体９２に装着された状態において、第２給送トレイ２２に支持された用紙１２が第１搬送路６５へ給送可能となる。
【００４５】
各給送トレイ２０、２２は、概ね直方体の箱状に形成されている。図２及び図４に示されるように、第１給送トレイ２０は、複数の用紙１２が積層した状態で支持される底板７５と、底板７５の右端部及び左端部から上方へ延びた一対の側板８５と、底板７５の前端部から上方へ延びた前板８６とを備えている。図３及び図４に示されるように、第２給送トレイ２２は、複数の用紙１２が積層した状態で支持される底板７６と、底板７６の右端部及び左端部から上方へ延びた一対の側板８７と、底板７６の前端部から上方へ延びた前板８８とを備えている。
【００４６】
本実施形態において、各給送トレイ２０、２２の最大積載枚数は５００枚である。なお、最大積載枚数は、５００枚以外であってもよい。また、各給送トレイ２０、２２の最大積載枚数は同じ枚数であってもよいし異なる枚数であってもよい。
【００４７】
図２及び図４に示されるように、排出トレイ２１は、記録部２４の下方、且つ第１筐体９１に装着された第１給送トレイ２０の上方に配置されている。排出トレイ２１は、第１筐体９１から排出された用紙１２を支持する。
【００４８】
図２に示されるように、底板７６に支持された用紙１２は、第２給送部２９によって後方向７（給送方向の一例）へ送られることで第１搬送路６５へ給送される。当該用紙１２は、第１搬送路６５を図２に一点鎖線で示される搬送方向１６へ搬送される。第１搬送路６５を搬送される用紙１２の搬送方向１６の下流端が搬送ローラ対５７に到達すると、当該用紙１２は搬送ローラ対５７によって第１搬送路６５を記録部２４へ向けて搬送方向１６へ搬送される。記録部２４の直下へ到達した用紙１２は、記録部２４によって画像記録される。画像記録された用紙１２は、排出ローラ対５８によって第１搬送路６５を搬送方向１６へ搬送されて排出トレイ２１に排出される。
【００４９】
底板７５に支持された用紙１２は、第１給送部２８によって後方向７へ送られることで第２搬送路６６へ給送される。当該用紙１２は、第２搬送路６６を図２に二点鎖線で示される搬送方向１７へ搬送される。第２搬送路６６は、合流位置３６において第１搬送路６５と合流している。ここで、合流位置３６は、搬送ローラ対５７よりも搬送方向１６の上流である。合流位置３６を介して第１搬送路６５へ搬送された用紙１２は、底板７６に支持された用紙１２と同様に、第１搬送路６５を記録部２４へ向けて搬送される。
【００５０】
［第１給送部２８及び第２給送部２９］
図２及び図４に示されるように、第１筐体９１に装着された状態の第１給送トレイ２０の底板７５の上方に、第１給送部２８が設けられている。第１給送部２８は、第１給送ローラ２５（第１ローラの一例）、第１アーム２６、第１軸部２７、及び駆動伝達機構３３を備えている。
【００５１】
第１軸部２７は、第１筐体９１の右側部を構成するフレーム（不図示）に支持されている。なお、第１軸部２７は、第１筐体９１の左側部を構成するフレーム（不図示）に支持されていてもよい。第１アーム２６は、第１軸部２７によって第１軸部２７を中心に回動可能に支持されている。第１アーム２６は、右方向８及び左方向９における第１筐体９１の中央部において、第１軸部２７に支持されている部分である延出基端部２６Ａから底板７５または底板７５に支持された用紙１２へ向けて延出されている。つまり、第１アーム２６は、延出基端部２６Ａを中心に回動可能である。
【００５２】
第１給送ローラ２５は、第１アーム２６の延出先端部２６Ｂに回転可能に支持されている。第１アーム２６は、自重或いはバネ等による弾性力によって下方へ回動付勢されている。これにより、第１給送ローラ２５は、底板７５に用紙１２が支持されていない場合、底板７５に当接する。また、第１給送ローラ２５は、底板７５に用紙１２が支持されている場合、支持された用紙１２のうち最上の用紙１２に当接する。
【００５３】
第１給送ローラ２５の位置は、底板７５に支持された用紙１２の枚数によって異なる位置となる。具体的には、底板７５に支持された用紙１２の枚数が多い程、第１給送ローラ２５は、後方且つ上方に位置する。また、第１アーム２６の延出基端部２６Ａからの延出方向の前方向６及び後方向７に対する角度は、底板７５に支持された用紙１２の枚数によって異なる角度となる。具体的には、当該角度は、底板７５に支持された用紙１２の枚数が少ない程、９０度に近い角度となる。
【００５４】
第１給送ローラ２５は、複数のギヤが噛合されてなる駆動伝達機構３３（図４参照）を介して、モータ（不図示）から駆動力が付与されて回転する。当該モータは、後述する搬送ローラ６０及び排出ローラ６２に駆動力を付与するモータと同一であってもよいし異なっていてもよい。回転した第１給送ローラ２５は、底板７５に積層した状態で支持された用紙１２のうち最上の用紙１２をピックアップして後方向７へ送る。なお、底板７５に支持された用紙１２が一枚の場合、第１給送ローラ２５は、当該用紙１２をピックアップして後方向７へ送る。また、駆動伝達機構３３は、複数のギヤが噛合されている形態に限らず、例えば第１軸部２７と第１給送ローラ２５の軸とに架け渡されたベルトであってもよい。
【００５５】
第１給送部２８は、図４に示される第１位置及び図５に示される第２位置に回動可能である。具体的には、第１給送部２８は、矢印１１１の方向（図４参照）へ回動することによって第１位置から第２位置へ移動し、矢印１１２の方向（図５参照）へ回動することによって第２位置から第１位置へ移動する。
【００５６】
第１位置は、第１給送ローラ２５が第１給送トレイ２０に支持された用紙１２に当接して当該用紙１２を後方向７へ送ることが可能な状態における第１給送部２８の位置である。
【００５７】
本実施形態において、第１位置は、第１給送トレイ２０に１枚の用紙１２が支持されている場合に、第１給送ローラ２５が当該用紙１２に上方から当接した状態における第１給送部２８の位置である。
【００５８】
第２位置は、第１給送部２８が第１位置に位置するときよりも第１給送ローラ２５が上方に位置する状態における第１給送部２８の位置である。
【００５９】
本実施形態において、第２位置は、第１給送トレイ２０に最大積載枚数（５００枚）の用紙１２が支持されている場合に、第１給送ローラ２５の下端が最上の用紙１２よりも更に上方に位置する状態における第１給送部２８の位置である。
【００６０】
なお、第１給送部２８は、第１給送トレイ２０が第１筐体９１に対して挿入及び脱抜される過程において、第２位置へ回動する。詳細には、第１給送トレイ２０が第１筐体９１に対して挿入及び脱抜される過程において、第１アーム２６の右端部または左端部が、第１給送トレイ２０の側板８５の上面に下方から当接されて上方へ押されることによって、第１給送部２８は第２位置へ回動する。
【００６１】
なお、第１位置及び第２位置は、本実施形態における位置に限らない。例えば、第１位置は、第１給送トレイ２０に２枚以上の用紙１２が積層した状態で支持されている場合に、第１給送ローラ２５が最上の用紙１２に上方から当接した状態における第１給送部２８の位置であってもよい。また、例えば、第２位置は、第１給送部２８が第１位置に位置するときよりも多くの用紙１２が第１給送トレイ２０に積層した状態で支持されている場合に、第１給送ローラ２５が最上の用紙１２に上方から当接した状態における第１給送部２８の位置であってもよい。
【００６２】
第２筐体９２に装着された状態の第２給送トレイ２２の底板７６の上方に、第２給送部２９が設けられている。第２給送部２９は、第２給送ローラ３０（第２ローラの一例）、第２アーム３１、第２軸部３２（回動軸の一例）、及び駆動伝達機構３４を備えている。
【００６３】
第２軸部３２は、第２筐体９２の右側部を構成するフレーム（不図示）に支持されている。なお、第２軸部３２は、第２筐体９２の左側部を構成するフレーム（不図示）に支持されていてもよい。第２アーム３１は、第２軸部３２によって第２軸部３２を中心に回動可能に支持されている。図３及び図４に示されるように、第２アーム３１は、右方向８及び左方向９における第２筐体９２の中央部において、第２軸部３２に支持されている部分である延出基端部３１Ａから底板７６または底板７６に支持された用紙１２へ向けて延出されている。つまり、第２アーム３１は、延出基端部３１Ａを中心に回動可能である。第２給送ローラ３０は、第２アーム３１の延出先端部３１Ｂに回転可能に支持されている。
【００６４】
第２給送部２９は、図４に示される第３位置及び図５に示される第４位置に回動可能である。第３位置は、第２給送ローラ３０が第２給送トレイ２２に支持された用紙１２に当接して当該用紙１２を後方向７へ送ることが可能な状態における第２給送部２９の位置である。第４位置は、第２給送部２９が第３位置に位置するときよりも第２給送ローラ３０が上方に位置する状態における第２給送部２９の位置である。
【００６５】
なお、第２給送ローラ３０、第２アーム３１、第２軸部３２、及び駆動伝達機構３４は、それぞれ上述した第１給送ローラ２５、第１アーム２６、第１軸部２７、及び駆動伝達機構３３と同様の構成である。そのため、それらのこれ以上の説明は省略される。
【００６６】
［第１案内部材７１及び第２案内部材７２］
図２及び図４に示されるように、第１筐体９１の内部に、第１案内部材７１が配置されており、第２筐体９２の内部に、第２案内部材７２が配置されている。
【００６７】
第１案内部材７１は、第１筐体９１に装着された状態の第１給送トレイ２０の後端部よりも後方に配置されている。第１案内部材７１は、前方向６を向いた傾斜面７３を備えている。傾斜面７３は、後方向７へ向かって上方向４へ向けて傾斜している。傾斜面７３の下端部は、第１筐体９１に装着された状態の第１給送トレイ２０の後端部と近接している。傾斜面７３の上端部は、後述する中ガイド部材５２と近接している。傾斜面７３は、第１給送ローラ２５によって後方向７へ送られた用紙１２に当接される。これにより、用紙１２は、傾斜面７３に沿って案内されて、第２搬送路６６へ送られる。
【００６８】
第２案内部材７２は、第２筐体９２に装着された状態の第２給送トレイ２２の後端部よりも後方に配置されている。第２案内部材７２は、前方向６を向いた傾斜面７４を備えている。傾斜面７４は、後方向７へ向かって上方向４へ向けて傾斜している。傾斜面７４の下端部は、第２筐体９２に装着された状態の第２給送トレイ２２の後端部と近接している。傾斜面７４の上端部は、後述する外ガイド部材５１と近接している。傾斜面７４は、第２給送ローラ３０によって後方向７へ送られた用紙１２に当接される。これにより、用紙１２は、傾斜面７４に沿って案内されて、第１搬送路６５の湾曲路６５Ａへ送られる。
【００６９】
［第１搬送路６５］
第１搬送路６５は、用紙１２が搬送される経路である。図２に示されるように、第１搬送路６５は、第２案内部材７２の上端部から搬送ローラ対５７及び記録部２４を経て排出ローラ対５８まで延びている。第１搬送路６５は、湾曲路６５Ａと直線路６５Ｂとで構成されている。
【００７０】
湾曲路６５Ａは、搬送方向１６に沿って上方へ延びつつ前方へ向けて湾曲している。第２給送トレイ２２に支持された状態から第２給送部２９によって後方向７へ給送された用紙１２は、第１案内部材７１の傾斜面７３に沿って案内され、湾曲路６５Ａを搬送方向１６へ搬送される。これにより、当該用紙１２は、下方から上方へＵターンするように案内される。湾曲路６５Ａを通過した用紙１２は、搬送ローラ対５７によって挟持される。湾曲路６５Ａは、外ガイド部材５１と中ガイド部材５２とによって区画されている。
【００７１】
直線路６５Ｂは、用紙１２が搬送される経路である。直線路６５Ｂは、搬送ローラ対５７において湾曲路６５Ａの搬送方向１６の下流端と連続しており、排出ローラ対５８まで延びている。直線路６５Ｂは、概ね前方向６へ直線状に延びている。搬送ローラ対５７に到達した用紙１２は、搬送ローラ対５７によって直線路６５Ｂを前方向６へ搬送される。排出ローラ対５８に到達した用紙１２は、排出ローラ対５８によって前方向６へ搬送され、排出トレイ２１に排出される。直線路６５Ｂは、搬送ローラ対５７、記録部２４とプラテン４２、及び排出ローラ対５８によって区画されている。
【００７２】
［第２搬送路６６］
第２搬送路６６は、用紙１２が搬送される経路である。図２に示されるように、第２搬送路６６は、第１搬送路６５の湾曲路６５Ａよりも第１筐体９１の内方に位置している。第２搬送路６６は、第１案内部材７１の上端部から、第１搬送路６５との合流位置３６まで延びている。第２搬送路６６は、搬送方向１７に沿って上方へ延びつつ前方へ向けて湾曲している。
【００７３】
第１給送トレイ２０に支持された状態から第１給送部２８によって後方向７へ給送された用紙１２は、第１案内部材７１の傾斜面７３に沿って案内され、第２搬送路６６を搬送方向１７へ搬送される。これにより、当該用紙１２は、下方から上方へＵターンするように案内される。第２搬送路６６を通過した用紙１２は、合流位置３６から第１搬送路６５へ進入して、搬送ローラ対５７によって挟持される。第２搬送路６６は、中ガイド部材５２と内ガイド部材５３とによって区画されている。
【００７４】
［搬送ローラ対５７及び排出ローラ対５８］
図２に示されるように、搬送ローラ対５７は、第１搬送路６５における合流位置３６よりも搬送方向１６の下流に配置されている。搬送ローラ対５７は、互いに対向する搬送ローラ６０及びピンチローラ６１を備える。搬送ローラ６０は、モータ（不図示）から駆動伝達されて回転する。ピンチローラ６１は、搬送ローラ６０の回転に伴って連れ回る。搬送ローラ対５７は、用紙１２を挟持して搬送方向１６へ搬送する。
【００７５】
排出ローラ対５８は、第１搬送路６５における搬送ローラ対５７よりも搬送方向１６の下流に配置されている。排出ローラ対５８は、互いに対向する排出ローラ６２及び拍車６３を備える。排出ローラ６２は、モータ（不図示）から駆動伝達されて回転する。拍車６３は、排出ローラ６２の回転に伴って連れ回る。排出ローラ対５８は、用紙１２を挟持して搬送方向１６へ搬送する。
【００７６】
なお、各ローラ６０、６２は、同一のモータから駆動伝達されてもよいし、異なるモータから駆動伝達されてもよい。
【００７７】
［記録部２４］
図２に示されるように、記録部２４は、第１搬送路６５における搬送ローラ対５７及び排出ローラ対５８の間に配置されている。本実施形態において、記録部２４は、インクジェット方式によって、第１搬送路６５を搬送される用紙１２に画像を記録する。なお、記録部２４が用紙１２に画像を記録する方式は、インクジェット方式に限らず、電子写真方式などの他の方式であってもよい。
【００７８】
［突出部８１］
図４に示されるように、第１筐体９１の底部９３は、突出部８１（第１突出部の一例）を備えている。突出部８１は、底部９３から下方へ突出している。
【００７９】
図６に示されるように、突出部８１は、右方向８及び左方向９に間隔を空けて２つ設けられている。２つの突出部８１のうちの一方は、第１給送ローラ２５よりも右方向８（第１方向の一例）に設けられている。２つの突出部８１のうちの他方は、第１給送ローラ２５よりも左方向９（第２方向の一例）に設けられている。つまり、複合機１０を下方向５に視た場合、第１給送ローラ２５は、右方向８及び左方向９において、２つの突出部８１の間に位置している。なお、第１給送ローラ２５は各突出部８１よりも上方に位置するため、複合機１０を前方向６に視た場合、第１給送ローラ２５は、２つの突出部８１の間の位置よりも上方に位置している。
【００８０】
図４に示されるように、第１給送部２８が第１位置に位置するときの第１給送ローラ２５の下端の前方向６及び後方向７に沿った方向の位置は、突出部８１の前端と後端との間である。なお、上述したように、第１給送ローラ２５の位置は底板７５に支持された用紙１２の枚数によって異なる位置となるが、本実施形態では、底板７５に支持された用紙１２の枚数にかかわらず、第１給送ローラ２５の下端の前方向６及び後方向７に沿った方向の位置は、突出部８１の前端と後端との間である。
【００８１】
図４に示されるように、各突出部８１は、前方向６及び後方向７に対して傾斜した傾斜面８２を備えている。傾斜面８２は、前方且つ下方を向く面である。傾斜面８２は、前方へ向けて上方へ向かっている。
【００８２】
各突出部８１は、第２筐体９２が第１筐体９１に装着されない状態において、複合機１０の下端部を構成している。これにより、図７に示されるように、第２筐体９２が第１筐体９１に装着されない状態において、複合機１０が机１１０の上面１１１（被設置面の一例）に設置されるとき、各突出部８１は当該机１１０の上面１１１に上方から当接する。なお、複合機１０が設置されるのは、机１１０の上面１１１に限らず、例えば、棚板の上面であってもよい。
【００８３】
図４に示されるように、第２筐体９２が第１筐体９１に装着された状態において、各突出部８１は、第２筐体９２内に位置している。ここで第２筐体９２内とは、第２筐体９２が第１筐体９１に装着された状態において、上方が第１筐体９１の底部９３によって区画され、当該上方以外が第２筐体９２（具体的には第２給送トレイ２２の底板７６、一対の側板８７、及び前板８８）によって区画された空間である。
【００８４】
第２筐体９２が第１筐体９１に装着された状態において、第２給送部２９の第２軸部３２は、各突出部８１よりも前方に位置しており、第２給送部２９の第２給送ローラ３０は、各突出部８１の前端及び後端の間に位置している。なお、第２給送ローラ３０の全てが各突出部８１の前端及び後端の間に位置している必要はなく、第２給送ローラ３０の一部が各突出部８１の前端及び後端の間に位置していてもよい。
【００８５】
図５に示されるように、第２筐体９２が第１筐体９１に装着され且つ第２給送部２９が第４位置に位置する状態において、各突出部８１の下端８１Ａは、第２給送ローラ３０の上端３０Ａよりも下方に位置している。つまり、第４位置に位置する状態において、第２給送ローラ３０は、右方向８または左方向９に視て、つまり側面視において各突出部８１と重複している。また、第４位置に位置する状態において、第２給送ローラ３０は、下方向５に視て、つまり平面視において２つの突出部８１に挟まれた状態となる。
【００８６】
第２筐体９２が第１筐体９１に装着された状態において、各突出部８１の下端８１Ａは、第２給送トレイ２２に最大積載枚数（５００枚）の用紙１２が支持された状態における最上の用紙１２よりも上方に位置する。つまり、当該状態において、各突出部８１は、第２給送トレイ２２に支持された用紙１２に当接しない。
【００８７】
第２筐体９２が第１筐体９１に装着された状態において、第２アーム３１の延出基端部３１Ａの上端３１Ｃは、突出部８１の下端８１Ａよりも上方に位置する。
【００８８】
［突出部８３］
図４に示されるように、第１筐体９１の底部９３は、１つの突出部８３（第２突出部の一例）を備えている。突出部８３は、底部９３から下方へ突出している。突出部８３の下端は、上方向４及び下方向５において、突出部８１の下端と同じ高さである。
【００８９】
突出部８３は、前方向６及び後方向７に対して傾斜した傾斜面８４を備えている。傾斜面８４は、前方且つ下方を向く面である。傾斜面８４は、前方へ向けて上方へ向かっている。
【００９０】
第２筐体９２が第１筐体９１に装着された状態において、突出部８３は、第２軸部３２よりも前方に位置している。つまり、第２軸部３２は、前方向６及び後方向７において、突出部８１、８３の間の位置に配置されている。
【００９１】
突出部８３は、突出部８１と同様に、図７に示されるように、第２筐体９２が第１筐体９１に装着されない状態において、複合機１０が机１１０の上面１１１に設置されるときに当該机１１０の上面１１１に上方から当接する。
【００９２】
［第１面１０１及び第２面１０２］
図４に示されるように、第１筐体９１の底部９３は、第１面１０１と第２面１０２とを備えている。
【００９３】
第１面１０１は、第２筐体９２が第１筐体９１に装着された状態において、空間１０６を区画する天面となる面である。ここで、空間１０６は、上端を第１面１０１によって区画されており、前端を突出部８３の後面８３Ａによって区画されており、後端を後述する金属製のフレーム９５の屈曲部９７の前面９７Ａによって区画されている。空間１０６には、第２給送部２９の第２軸部３２が配置されている。
【００９４】
フレーム９５の屈曲部９７よりも後方に、複数のリブ１０３が形成されている。各リブ１０３は、第１面１０１から下方へ突出している。各リブ１０３は、右方向８及び左方向９に沿って延びている。各リブ１０３は、前方向６及び後方向７に沿って間隔を空けて設けられている。各リブ１０３の突出先端面によって、前方向６及び後方向７並びに右方向８及び左方向９に拡がる仮想面である第２面１０２が形成される。第２面１０２は、第１面１０１よりも下方に位置する。突出部８１は、第１面１０１よりも後方から下方へ突出されている。つまり、突出部８１は、第２面１０２から下方へ突出されている。つまり、第２面１０２は、突出部８１が設けられる面である。
【００９５】
［フレーム９５］
図４に示されるように、第１筐体９１の底部９３の下方に、金属製のフレーム９５が配置されている。フレーム９５は、嵌合やネジ留めなどの公知の手段によって、第１筐体９１に取り付けられている。フレーム９５は、複数のリブ１０３を下方から覆っている。つまり、フレーム９５は、第２面１０２の少なくとも一部を下方から覆っている。
【００９６】
図６に示されるように、第１給送部２８が第１位置に位置するときの第１給送ローラ２５の下端の前方向６及び後方向７に沿った方向の位置は、フレーム９５の前端と後端との間である。なお、上述したように、第１給送ローラ２５の位置は底板７５に支持された用紙１２の枚数によって異なる位置となるが、本実施形態では、底板７５に支持された用紙１２の枚数にかかわらず、第１給送ローラ２５の下端の前方向６及び後方向７に沿った方向の位置は、フレーム９５の前端と後端との間である。
【００９７】
図６に示されるように、フレーム９５は、開口９６（貫通部の一例）を備えている。開口９６は、フレーム９５を下方向５に視た場合に突出部８１と重複する位置に設けられている。突出部８１は、上方から下方へ開口９６を貫通している。なお、本実施形態では、フレーム９５は、突出部８１を貫通させるための構成として開口９６を備えているが、突出部８１を貫通させるための構成は開口９６に限らない。例えば、フレーム９５は、開口９６の代わりに、フレーム９５の右端から左方へ切り欠かれた切り欠きや、左端から右方へ切り欠かれた切り欠きを備えていてもよい。
【００９８】
図４に示されるように、フレーム９５は、屈曲部９７を備えている。屈曲部９７は、フレーム９５の前端部に設けられている。前方へ延出されているフレーム９５は、屈曲部９７において、上方へ屈曲されている。
【００９９】
［底部９４］
図４に示されるように、第２筐体９２の底部９４は、第１筐体９１の底部９３と同様に構成されている。つまり、底部９４には、底部９３の突出部８１、突出部８３、リブ１０３、第１面１０１、第２面１０２、及びフレーム９５のそれぞれに対応する、突出部７８（第３突出部の一例）、突出部７９、リブ９９、第１面１０４、第２面１０５、及びフレーム９８が設けられている。
【０１００】
突出部７８は、底部９４の下面から下方へ突出している。第２給送部２９が第３位置に位置するときの第２給送ローラ３０の下端の前方向６及び後方向７に沿った方向の位置は、突出部７８の前端と後端との間である。第２筐体９２が第１筐体９１に装着された状態において、複合機１０が机１１０の上面１１１などに設置されるとき、各突出部７８、７９は当該机１１０の上面１１１などに上方から当接する。
【０１０１】
突出部７８、突出部７９、リブ１０３、第１面１０４、第２面１０５、及びフレーム９８は、それぞれ突出部８１、突出部８３、リブ９９、第１面１０１、第２面１０２、及びフレーム９５と同様の構成、及び同様の配置位置である。また、突出部７８は突出部８１と同数であり、突出部７９は突出部８３と同数である。よって、ここでは、突出部７８、突出部７９、リブ９９、第１面１０４、第２面１０５、及びフレーム９８についてのこれ以上の詳細な説明は省略される。
【０１０２】
本実施形態では、第２筐体９２の下方に第２筐体９２と同様の構成の筐体（不図示）が装着されるように複合機１０が構成されている。この場合、第２筐体９２に当該筐体が装着された状態では、当該筐体に設けられた給送部（不図示）に対する突出部７８、突出部７９、リブ９９、第１面１０４、第２面１０５、及びフレーム９８の位置関係は、第２給送部２９に対する突出部８１、突出部８３、リブ１０３、第１面１０１、第２面１０２、及びフレーム９５の位置関係と同様である。ここで、当該給送部は、当該筐体に装着された給送トレイ（不図示）に支持された用紙１２を給送するものであり、第１給送部２８及び第２給送部２９と同様に構成されている。
【０１０３】
［実施形態の効果］
本実施形態によれば、第２筐体９２が第１筐体９１に装着され且つ第２給送部２９が第４位置に位置する状態において、第２給送ローラ３０は、側面視において突出部８１と重複している。この重複した分だけ、複合機１０の高さを低く抑えることができる。これにより、複合機１０の大型化を抑制することができる。その結果、第２給送トレイ２２から第１搬送路６５への用紙１２の給送を短時間で実行することができる。
【０１０４】
また、本実施形態によれば、底部９３は、突出部８１が設けられている部分において厚みが増すため、当該部分において強度が増加する。そして、本実施形態によれば、第１給送部２８が第１位置に位置するときの第１給送ローラ２５の下端の前方向６及び後方向７における位置は、突出部８１の前端と後端との間である。これにより、第１給送ローラ２５の押圧力によって底部９３が反る可能性を低くすることができる。その結果、第１給送トレイ２０に支持された用紙１２を安定して給送することができる。
【０１０５】
また、本実施形態によれば、右方向８及び左方向９において、第１給送ローラ２５は、突出部８１に挟まれた状態である。そのため、第１給送ローラ２５の押圧力によって底部９３が右方向８及び左方向９に沿って反る可能性を低くすることができる。
【０１０６】
また、本実施形態によれば、第２給送トレイ２２に支持された用紙１２が第２給送部２９によって給送されるときに、当該用紙１２が突出部８１に当接した場合、当該用紙１２は傾斜面８２に沿って案内される。そのため、当該用紙１２が突出部８１に引っ掛かる可能性を低くすることができる。
【０１０７】
また、本実施形態によれば、各突出部８１の下端は、第２給送トレイ２２に最大積載枚数（５００枚）の用紙１２が支持された状態における最上の用紙１２よりも上方に位置する。そのため、第２筐体９２が第１筐体９１に装着されたときに、第２給送トレイ２２に支持された用紙１２が突出部８１に当接することを防止することができる。
【０１０８】
また、本実施形態によれば、第２筐体９２が第１筐体９１に装着された状態において、第２アーム３１の延出基端部３１Ａの上端は、突出部８１の下端よりも上方に位置する。つまり、上方向４及び下方向５において、第２アーム３１と突出部８１とは重複している。この重複した分だけ、複合機１０の高さを低く抑えることができる。
【０１０９】
また、本実施形態によれば、第２面１０２は第１面１０１よりも下方に位置するため、底部９３において、第２面１０２が設けられている部分の厚みは、第１面１０１が設けられている部分の厚みよりも厚くなる。これにより、底部９３における第２面１０２が設けられている部分の強度を増加させることができる。その結果、第１給送ローラ２５の押圧力によって底部９３が反る可能性を低くすることができる。
【０１１０】
また、本実施形態によれば、底部９３における下方に金属製のフレーム９５が設けられている部分の強度を増加させることができる。その結果、第１給送ローラ２５の押圧力によって底部９３が反る可能性を低くすることができる。
【０１１１】
また、本実施形態によれば、フレーム９５が屈曲部９７を有しているため、フレーム９５によって底部９３の強度を更に増加させることができる。
【０１１２】
また、本実施形態のように、第２筐体９２と同様の構成の筐体が第２筐体９２に着脱可能に、複合機１０が構成されている場合であっても、上述した効果と同様の効果を奏することができる。
【０１１３】
［変形例］
上記実施形態では、突出部８１、７８は２つ設けられていたが、突出部８１、７８の数は２つに限らない。また、上記実施形態では、突出部８３、７９は１つ設けられていたが、突出部８３、７９は１つに限らない。
【０１１４】
上記実施形態では、複合機１０を下方向５に視た場合に、第１給送ローラ２５は、右方向８及び左方向９において、２つの突出部８１の間に配置されていたが、第１給送ローラ２５の配置位置は、２つの突出部８１の間に限らない。例えば、１つの突出部８１が右方向８及び左方向９における底部９３の中央部に設けられており、その右方または左方に第１給送ローラ２５が設けられていてもよい。なお、突出部７８及び第２給送ローラ３０の配置位置についても突出部８１及び第１給送ローラ２５と同様である。
【０１１５】
上記実施形態では、突出部８１、８３は、複合機１０が机１１０の上面１１１などに設置されるときに当該机１１０の上面１１１などに上方から当接するものであったが、突出部８１、８３は、当該机１１０の上面１１１などに当接するものに限らない。例えば、複合機１０が机１１０の上面１１１などに設置されるときに当該机１１０の上面１１１などに上方から当接する部分が、突出部８１、８３とは別に底部９３に設けられていてもよい。そして、この場合、突出部８１、８３は、底部９３のうち第１給送ローラ２５に上方から押圧される部分の補強のために、底部９３のうち第１給送ローラ２５に上方から押圧されない部分よりも厚みが厚くされた部分であればよい。なお、突出部７８、７９についても同様である。
【０１１６】
上記実施形態では、突出部８１、８３は、それぞれ傾斜面８２、８４を備えていたが、傾斜面８２、８４を備えていなくてもよい。なお、突出部７８、７９についても同様である。
【０１１７】
上記実施形態では、第１アーム２６及び第２アーム３１は、右方向８及び左方向９における第２筐体９２の中央部において、延出基端部２６Ａ、３１Ａから延出されていたが、当該中央部以外において延出されていてもよい。
【０１１８】
上記実施形態では、フレーム９５が第１筐体９１に取り付けられており、フレーム９８が第２筐体９２に取り付けられていたが、複合機１０は、フレーム９５、９８を備えていなくてもよい。この場合、上述したように、突出部８１、８３、７８、７９は、底部９３、９４のうち給送ローラ２５、３０に上方から押圧される部分の補強のために底部９３、９４のうち給送ローラ２５、３０に上方から押圧されない部分よりも厚みが厚くされていることが望ましい。
【０１１９】
上記実施形態では、フレーム９５は屈曲されていたが、屈曲されていなくてもよい。つまり、フレーム９５は、屈曲部９７を備えていなくてもよい。なお、フレーム９８についても同様である。
【０１２０】
上記実施形態では、第２筐体９２が第１筐体９１に装着され且つ第２給送部２９が第４位置に位置する状態において、各突出部８１の下端８１Ａは、第２給送ローラ３０の上端３０Ａよりも下方に位置し且つ第２給送ローラ３０の下端よりも上方に位置していた。つまり、第４位置に位置する状態において、第２給送ローラ３０は、側面視において各突出部８１と一部重複してした。しかし、第２給送ローラ３０は、側面視において各突出部８１と全部重複していてもよい。具体的には、第２筐体９２が第１筐体９１に装着され且つ第２給送部２９が第４位置に位置する状態において、各突出部８１の下端８１Ａは、第２給送ローラ３０の下端よりも下方に位置していてもよい。
【０１２１】
上記実施形態では、第２給送部２９が第４位置のときに、第２給送部２９のうちの第２給送ローラ３０が、側面視において第１筐体９１の各突出部８１と重複していた。しかし、第２給送部２９が第４位置のときに、第２給送部２９のうちの第２給送ローラ３０以外の部分が、側面視において各突出部８１と重複していてもよい。
【０１２２】
例えば、上記実施形態では、図４及び図５に示されるように、突出部８１の前方向６及び後方向７における位置と、突出部７８の前方向６及び後方向７における位置とは、同一である。また、上記実施形態では、図４及び図５に示されるように、第４位置の第２給送ローラ３０は、第３位置の第２給送ローラ３０よりも後方に位置する。そのため、突出部８１、７８の前方向６及び後方向７の位置が同一である場合であっても、第２給送ローラ３０は、第２給送部２９が第３位置のときに突出部７８の前端と後端との間に位置する一方で、第２給送部２９が第４位置のときに突出部８１よりも後方に位置することがあり得る。つまり、第２給送部２９が第４位置のときに、第２給送ローラ３０と各突出部８１とが、側面視において重複しないことがあり得る。なお、この場合、第２アーム３１の一部が、側面視において各突出部８１と重複する。
【０１２３】
なお、第２給送部２９が第４位置のときに、側面視において各突出部８１と重複する部分は、上述した部分（第２給送ローラ３０の一部若しくは全部、または、第２アーム３１の一部）に限らない。つまり、第２アーム３１の全部が側面視において各突出部８１と重複していてもよい。また、第２給送ローラ３０の一部と第２アーム３１の一部とが側面視において各突出部８１と重複していてもよい。また、第２給送ローラ３０の全部と第２アーム３１の一部とが側面視において各突出部８１と重複していてもよい。また、第２給送ローラ３０の一部と第２アーム３１の全部とが側面視において各突出部８１と重複していてもよい。また、第２給送ローラ３０の全部と第２アーム３１の全部（つまり第２給送部２９の全部）が側面視において各突出部８１と重複していてもよい。
【０１２４】
以上のように、第２筐体９２が第１筐体９１に装着され且つ第２給送部２９が第４位置に位置する状態において、第２給送部２９の少なくとも一部が、側面視において突出部８１と重複していればよい。この重複した分だけ、複合機１０の高さを低く抑えることができる。これにより、複合機１０の大型化を抑制することができる。その結果、第２給送トレイ２２から第１搬送路６５への用紙１２の給送を短時間で実行することができる。
【０１２５】
上記実施形態では、第２筐体９２の下方に第２筐体９２と同様の構成の筐体（不図示）が装着されるように複合機１０が構成されていた。しかし、第２筐体９２の下方に当該筐体が装着されないように複合機１０が構成されていてもよい。この場合、第２筐体９２の底部９４に突出部７８、７９が設けられていなくてもよい。また、この場合、底部９４には、段差のある２種類の面（第１面１０４及び第２面１０５）が設けられている必要はなく、１種類の面が設けられていればよい。そして、当該１種類の面が、机１１０の上面１１１などに当接することによって、複合機１０が当該机１１０の上面１１１などに設置されればよい。
【０１２６】
上記実施形態では、第１給送トレイ２０は第１筐体９１に対して挿抜可能であり、第２給送トレイ２２は第２筐体９２に対して挿抜可能であったが、給送トレイ２０、２２は、筐体９１、９２に対して挿抜可能でなくてもよい。例えば、給送トレイ２０、２２は、筐体９１、９２に対して脱抜されず、前半分のみが筐体９１、９２の外部に引き出し可能であってもよい。
【０１２７】
上記実施形態では、搬送装置は、画像記録装置の一例である複合機１０においてプリント機能によって画像を記録する用紙１２を搬送するための装置であった。しかし、搬送装置は、上記のような装置に限らない。例えば、搬送装置は、スキャナに設けられていてもよい。この場合、搬送装置は、スキャナによって画像を読み取られる原稿用紙を搬送する装置である。
【符号の説明】
【０１２８】
１０・・・複合機（画像記録装置）
１２・・・用紙（シート）
２０・・・第１給送トレイ（第１トレイ）
２２・・・第２給送トレイ（第２トレイ）
２５・・・第１給送ローラ（第１ローラ）
２６・・・第１アーム
２８・・・第１給送部
２９・・・第２給送部
３０・・・第２給送ローラ（第２ローラ）
３１・・・第２アーム
６５・・・第１搬送路（搬送路）
６６・・・第２搬送路（搬送路）
８１・・・突出部（第１突出部）
９１・・・第１筐体
９２・・・第２筐体
９３・・・底部（第１底部）
【図１】
0006597189.tif 000002
【図２】
0006597189.tif 000003
【図３】
0006597189.tif 000004
【図４】
0006597189.tif 000005
【図５】
0006597189.tif 000006
【図６】
0006597189.tif 000007
【図７】
0006597189.tif 000008